(57)【要約】【課題】  海底における漁業資源の調査を自動化して、調査における人的、経済的負担を軽減するとともに、調査の精度を向上させる漁業資源調査方法とその装置を提供する。【解決手段】  海底の漁業資源を調査するための各漁具にＩＣタグを取り付けておき、漁業資源を各漁具で捕獲して資源調査をする各過程において、各漁具のＩＣタグをタグリーダで読んで各漁具を識別し、ＧＰＳで位置情報を求め、漁獲数カウンターで各漁具の漁獲数を計数し、これらの結果をコンピュータで処理して海底における漁業資源の分布状況を自動的に求める。【選択図】          図１
2005278632.tif 000002
【特許請求の範囲】
【請求項１】
ＧＰＳで位置情報を該位置情報を求めた時点の時刻情報との関連で求めるステップ１と、識別情報を有する識別標識を各々取り付けた複数の漁具の該識別標識から識別情報を該識別情報を求めた時点の時刻情報との関連で求めるステップ２と、該位置情報及び該位置情報を求めた時点の時刻情報と、該識別情報及び該識別情報を求めた時点の時刻情報を基に、同一時刻情報の位置情報及び識別情報を求めるステップ３と、引き揚げた該漁具中の漁獲物の数を計数して漁獲数情報を該漁獲数情報を求めた漁具の識別標識の識別情報との関連で求めるステップ４と、前記同一時刻情報の位置情報及び識別情報と、前記漁獲数情報及び該漁獲数情報を求めた漁具の識別標識の識別情報を基に、同一識別情報の位置情報と漁獲数情報を求めるステップ５とを備えたことを特徴とする漁業資源調査方法。
【請求項２】
海底に設置されていた複数の漁具を船上に順次引き揚げて該複数の漁具の該識別標識から前記識別情報を求めることを特徴とする請求項１に記載の漁業資源調査方法。
【請求項３】
海中に投入する前の複数の漁具の識別標識から前記識別情報を求めることを特徴とする請求項１に記載の漁業資源調査方法。
【請求項４】
海中に投入する前に求めた漁具の識別標識の識別情報及び該識別情報を求めた時点の時刻情報と、船上に引き揚げた後に求めた漁具の識別標識の識別情報及び該識別情報を求めた時点の時刻情報とから該漁具の設置時間を求めることを特徴とする請求項２又は３に記載の漁業資源調査方法。
【請求項５】
位置情報を求めるＧＰＳ装置と、時刻情報を出力する時刻装置と、複数の漁具と、該複数の漁具に各々取り付けられている複数の識別標識と、該識別標識の識別情報を読み取る標識読取装置と、該漁具の中に入っていた漁獲物の数を計数する漁獲物カウンタと、該ＧＰＳ装置、該時刻装置、該標識読取装置及び該漁獲物カウンタによって求められた情報を処理するコンピュータと、該コンピュータによって得られた情報を出力する出力装置とを備え、該コンピュータは、該標識読取装置によって求められた識別情報を該時刻装置から出力された時刻情報との関連で記憶する漁具情報記憶部と、該漁獲物カウンタによって求められた漁獲数情報を該時刻装置から出力された時刻情報との関連で記憶する漁獲数情報記憶部と、該ＧＰＳ装置によって求められた位置情報を該時刻装置から出力された時刻情報との関連で記憶する位置情報記憶部と、該漁具情報記憶部の識別情報及び時刻情報と、漁獲数情報記憶部の漁獲数情報及び時刻情報から、該漁具の識別情報及び漁獲数情報を求める漁獲数情報演算部と、該漁獲数情報演算部によって求められた該漁具の識別情報及び漁獲数情報を記憶する漁獲数情報記憶部と、該位置情報記憶部に記憶されている位置情報及び時刻情報と、該漁具情報記憶部に記憶されている識別情報及び時刻情報から該漁具の識別情報及び位置情報を求める位置情報演算部と、位置情報演算部によって求められた該漁具の識別情報及び位置情報を記憶する位置情報記憶部と、該漁獲数情報記憶部に記憶されている該漁具の識別情報及び漁獲数情報と、位置情報記憶部に記憶されている該漁具の識別情報及び漁獲数情報から、漁場の位置と漁獲数との関係情報を求める漁業資源分布情報演算部と、漁業資源分布情報演算部によって求められた漁場の位置と漁獲数との関係情報を記憶する漁業資源分布情報記憶部とを備えたことを特徴とする漁業資源調査装置。
【請求項６】
前記漁具情報記憶部が、引き揚げられた前記漁具の識別標識を前記標識読取装置で読んで得られた識別情報を前記時刻装置から出力された時刻情報との関連で記憶させる引揚漁具情報記憶部から構成されていることを特徴とする請求項５に記載の漁業資源調査装置。
【請求項７】
前記漁具情報記憶部が、海中に投入する前の複数の漁具の識別標識を前記標識読取装置で読んで得られた識別情報を前記時刻装置から出力された時刻情報との関連で記憶させる投入漁具情報記憶部と、引き揚げられた前記漁具の識別標識を前記標識読取装置で読んで得られた識別情報を前記時刻装置から出力された時刻情報との関連で記憶させる引揚漁具情報記憶部とから構成されていることを特徴とする請求項５に記載の漁業資源調査装置。
【請求項８】
海中に投入する前に求めた漁具の識別標識の識別情報及び該識別情報を求めた時点の時刻情報と、船上に引き揚げた後に求めた漁具の識別標識の識別情報及び該識別情報を求めた時点の時刻情報とから識別情報が共通な時刻情報の差を取って該漁具の設置時間情報を求め、該設置時間情報を識別情報との関連で漁業資源分布情報記憶部に記憶させる設置時間情報演算部を備えていることを特徴とする請求項６又は７に記載の漁業資源調査装置。
【発明の詳細な説明】
【技術分野】
【０００１】
本発明は海底で生活している漁業資源に対する漁獲努力量の配置（個々の漁具の配置）とその漁具ごとの漁獲数を簡単且つ自動的に調査することができる漁業資源調査方法とその装置に関する。ここでいう漁業資源調査とは、資源回復を目指し、資源を持続的に利用する事を目指した資源管理型漁業に必要な情報を調査する事である。
【背景技術】
【０００２】
近年の水産業界では、適切な管理下における資源の持続的な利用を目指した漁業（資源管理型漁業）が求められている。このような資源管理型漁業を推進する上で欠かせないのが、減少傾向にある資源量の推定やその資源に対して過剰となっている漁獲努力量等の正確な把握と管理である。
【発明の開示】
【発明が解決しようとする課題】
【０００３】
現在、これらの基礎データを得る為の調査には、漁業者の協力はもちろんの事、調査員等の人の手による作業が大きな割合を占めている。このような調査は、年間を通して連続的かつ継続的に行うことが望ましいが、人件費や傭船費などを考慮すると限界がある。
【０００４】
本発明は、近年急速に小型化・低価格化が進んでいるＩＣタグとＧＰＳ（全天候型衛星測位システム）を組み合わせたシステムを開発し導入することで、これまで人の力に頼ることの多かった漁業現場での調査を自動化し、これらの諸問題の解決と精度の向上を図る漁業資源調査方法とその装置を提供しようとするものである。
【課題を解決するための手段】
【０００５】
本発明に係る漁業資源調査方法は、ＧＰＳで位置情報を該位置情報を求めた時点の時刻情報との関連で求めるステップ１と、識別情報を有する識別標識を各々取り付けた複数の漁具の該識別標識から識別情報を該識別情報を求めた時点の時刻情報との関連で求めるステップ２と、該位置情報及び該位置情報を求めた時点の時刻情報と、該識別情報及び該識別情報を求めた時点の時刻情報を基に、同一時刻情報の位置情報及び識別情報を求めるステップ３と、引き揚げた該漁具中の漁獲物の数を計数して漁獲数情報を該漁獲数情報を求めた漁具の識別標識の識別情報との関連で求めるステップ４と、前記同一時刻情報の位置情報及び識別情報と、前記漁獲数情報及び該漁獲数情報を求めた漁具の識別標識の識別情報を基に、同一識別情報の位置情報と漁獲数情報を求めるステップ５とを備えたことを特徴とする。
【０００６】
ステップ１において、所在時刻情報は人工衛星から送られてくる時刻情報を受信装置で受信して出力される時刻情報でもよいし、コンピュータに内蔵されている時刻装置から出力される時刻情報でもよいし、時刻放送を受信装置で受信して出力される時刻情報でもよいし、通常の時計を用いて出力される時刻情報でもよいが、精度の点では人工衛星から送られてくる時刻情報を受信装置で受信して出力される時刻情報が好ましい。
【０００７】
ステップ２において使用される漁具は、アナゴ漁用の筒、たこ漁用の壷、かに漁用のカゴ、エビ漁用のカゴ等、一本の幹縄に複数の漁具を着ける延縄式漁具が適している。漁具に取り付ける識別標識としてはバーコード等を使用してもよいが、耐久性、識別情報の読み取り易さ、蓄積される情報量の点でＩＣタグが好ましい。
【０００８】
ステップ２において、海中に投入する前の複数の漁具の識別標識から前記識別情報を求めるようにしてもよい。この場合は、ステップ３において、時刻情報が一致する識別情報と位置情報をもって同一の漁具の識別情報と設置位置情報であるとする。
【０００９】
また、ステップ２において、海底に設置されていた複数の漁具を船上に順次引き揚げて該複数の漁具の該識別標識から前記識別情報を求めるようにしてもよい。
【００１０】
このようにした場合は、ステップ３において所定の時間差範囲内で時刻が一致する識別情報と漁獲数情報をもって同一の漁具の識別情報と漁獲数情報であるとする。所定の時間差は、引き揚げられた漁具の識別標識が該標識読取装置で読み取られ、その後、該漁具が該漁獲物カウンタまで移動し、漁獲数が計数されるまでに要する時間によって生ずるものである。
【００１１】
ステップ５において、識別情報が一致する設置位置情報と漁獲数情報をもって同一の漁具の設置位置情報と漁獲数情報であるとする。
【００１２】
この漁業資源調査方法は、海中に投入する前に求めた漁具の識別標識の識別情報及び該識別情報を求めた時点の時刻情報と、船上に引き揚げた後に求めた漁具の識別標識の識別情報及び該識別情報を求めた時点の時刻情報とから該漁具の設置時間を求めるようにしてもよい。
【００１３】
また、本発明に係る漁業資源調査装置は、位置情報を求めるＧＰＳ装置と、時刻情報を出力する時刻装置と、複数の漁具と、該複数の漁具に各々取り付けられている複数の識別標識と、該識別標識の識別情報を読み取る標識読取装置と、該漁具の中に入っていた漁獲物の数を計数する漁獲物カウンタと、該ＧＰＳ装置、該時刻装置、該標識読取装置及び該漁獲物カウンタによって求められた情報を処理するコンピュータと、該コンピュータによって得られた情報を出力する出力装置とを備え、該コンピュータは、該標識読取装置によって求められた識別情報を該時刻装置から出力された時刻情報との関連で記憶する漁具情報記憶部と、該漁獲物カウンタによって求められた漁獲数情報を該時刻装置から出力された時刻情報との関連で記憶する漁獲数情報記憶部と、該ＧＰＳ装置によって求められた位置情報を該時刻装置から出力された時刻情報との関連で記憶する位置情報記憶部と、該漁具情報記憶部の識別情報及び時刻情報と、漁獲数情報記憶部の漁獲数情報及び時刻情報から、該漁具の識別情報及び漁獲数情報を求める漁獲数情報演算部と、該漁獲数情報演算部によって求められた該漁具の識別情報及び漁獲数情報を記憶する漁獲数情報記憶部と、該位置情報記憶部に記憶されている位置情報及び時刻情報と、該漁具情報記憶部に記憶されている識別情報及び時刻情報から該漁具の識別情報及び位置情報を求める位置情報演算部と、位置情報演算部によって求められた該漁具の識別情報及び位置情報を記憶する位置情報記憶部と、該漁獲数情報記憶部に記憶されている該漁具の識別情報及び漁獲数情報と、位置情報記憶部に記憶されている該漁具の識別情報及び漁獲数情報から、漁場の位置と漁獲数との関係情報を求める漁業資源分布情報演算部と、漁業資源分布情報演算部によって求められた漁場の位置と漁獲数との関係情報を記憶する漁業資源分布情報記憶部とを備えたことを特徴とするものである。
【００１４】
ここで、時刻装置は人工衛星から送られてくる時刻情報を受信装置で受信して出力する方式のものでもよいし、コンピュータに内蔵されている時刻装置でもよいし、時刻放送を受信装置で受信して時刻情報を出力する方式のものでもよいし、通常の時計装置でもよいが、精度の点では人工衛星から送られてくる時刻情報を受信装置で受信して時刻情報を出力する方式のものが好ましい。
【００１５】
この発明で使用する漁具としては、アナゴ漁用の筒、たこ漁用の壷、かに漁用のカゴ、エビ漁用のカゴ等、一本の幹縄に複数の漁具を着ける延縄式漁具が適している。
【００１６】
漁具に取り付ける識別標識としてはバーコード等を使用してもよいが、耐久性、識別情報の読み取り易さ、蓄積される情報量の点でＩＣタグが好ましい。
【００１７】
出力装置としては、ＣＲＴ、液晶等のモニタ、プリンタを使用することができる。
【００１８】
漁具位置情報演算部では、時刻情報が一致する識別情報と位置情報を選択し、識別情報と位置情報を漁具位置情報記憶部に送っている。
【００１９】
漁獲数情報演算部では、所定の時間差範囲内で時刻が一致する識別情報と漁獲数情報を選択し、漁獲数情報記憶部に送っている。
【００２０】
所定の時間差は、引き揚げられた漁具の識別標識が該標識読取装置で読み取られ、その後、該漁具が該漁獲物カウンタまで移動し、漁獲数が計数されるまでに要する時間によって生ずるものである。
【００２１】
漁業資源分布情報演算部では、識別情報が一致する設置位置情報と漁獲数情報を選択し、漁業資源分布情報記憶部へ送っている。
【００２２】
前記漁具情報記憶部は、引き揚げられた前記漁具の識別標識を前記標識読取装置で読んで得られた識別情報を前記時刻装置から出力された時刻情報との関連で記憶させる引揚漁具情報記憶部により構成してもよい。
【００２３】
また、前記漁具情報記憶部は、海中に投入する前の複数の漁具の識別標識を前記標識読取装置で読んで得られた識別情報を前記時刻装置から出力された時刻情報との関連で記憶させる投入漁具情報記憶部と、引き揚げられた前記漁具の識別標識を前記標識読取装置で読んで得られた識別情報を前記時刻装置から出力された時刻情報との関連で記憶させる引揚漁具情報記憶部とから構成してもよい。
【００２４】
この漁業資源調査装置は、海中に投入する前に求めた漁具の識別標識の識別情報及び該識別情報を求めた時点の時刻情報と、船上に引き揚げた後に求めた漁具の識別標識の識別情報及び該識別情報を求めた時点の時刻情報とから識別情報が共通な時刻情報の差を取って該漁具の設置時間情報を求め、該設置時間情報を識別情報との関連で漁業資源分布情報記憶部に記憶させる設置時間情報演算部を備えていてもよい。
【発明の効果】
【００２５】
本発明の漁業資源調査方法とその装置によれば、海底に棲む漁業資源の調査を自動的に行うことができるので、漁業従事者に大きな負担をかけることなく、海底に棲む漁業資源の生息位置と生息量を容易且つ詳細に調査することができる。
【００２６】
また、本発明の漁業資源調査方法とその装置によれば、個々の漁具の位置と個々の漁具に対する漁獲量が詳細に把握でき、海底に棲む漁業資源の生息分布と生息量を詳細に調査することができるので、海底に棲む漁業資源が多い場所に少ない漁獲努力量を適切に投入することで、必要な水揚げを確保するなど、この情報を利用して海底に棲む漁業資源を適切に管理することができる。
【００２７】
また、本発明の漁業資源調査方法とその装置によれば、個々の漁具の位置と個々の漁具に対する漁獲量が詳細に把握でき、海底に棲む漁業資源の生息分布と生息量を詳細に調査することができ、この情報を利用すれば少ない漁具で短時間に所望量の漁業資源を捕獲することができるので、漁業従事者の労働負担や投資負担を減らすことができる。
【発明を実施するための最良の形態】
【００２８】
図１は本発明に係る漁業資源調査装置の実施例１の構成を示す説明図である。
【００２９】
本発明に係る漁業資源調査装置は、同図に示すように、船の位置情報を求めるＧＰＳ装置１０と、時刻情報を出力する時刻装置１２と、異なる識別情報が付与されている複数のＩＣタグ（識別標識）１４と、複数のＩＣタグ１４が各別に取り付けられている複数の漁具１６と、漁具１６を引き揚げた後に漁具１６のＩＣタグ１４に付与されている識別情報を読み取るタグリーダ（標識読取装置）１８と、漁具１６を引き揚げた後に漁具１６の中に入っていた漁獲物の数を計数する漁獲物カウンタ２０と、ＧＰＳ装置１０、時刻装置１２、タグリーダ１８及び漁獲物カウンタ２０によって求められた情報を処理するコンピュータ２２と、コンピュータ２２によって得られた情報を出力する出力装置２４とからなる。
【００３０】
ここで、時刻装置１２は、人工衛星から送られてくる時刻情報を受信装置で受信して出力する方式のものでもよいし、コンピュータ２２に内蔵されているものでもよいし、時刻放送を受信装置で受信して時刻情報を出力する方式のものでもよいし、通常の時計でもよいが、時刻情報の精度の点では人工衛星から送られてくる時刻情報を受信装置で受信して時刻情報を出力する方式のものが好ましい。
【００３１】
また、この発明で使用する漁具１６としては、アナゴ漁用の筒、たこ漁用の壷、かに漁用のカゴ、エビ漁用のカゴ等、一本の幹縄に複数の漁具を着ける延縄式漁具が適している。
【００３２】
また、漁具１６に取り付ける識別標識としてはバーコード等を使用してもよいが、耐久性、識別情報の読み取り易さ、蓄積される情報量等の点でＩＣタグ１４が好ましい。
【００３３】
また、出力装置２４としては、ＣＲＴ、液晶等のモニタ、プリンタを使用することができる。
【００３４】
コンピュータ２２は、位置情報記憶部２６と、引揚漁具情報記憶部２８と、漁獲数情報記憶部３０と、漁具位置情報演算部３２と、漁具位置情報記憶部３４と、漁獲数情報演算部３６と、漁獲数情報記憶部３８と、漁業資源分布情報演算部４０と、漁業資源分布情報記憶部４２とからなる。
【００３５】
ここで、位置情報記憶部２６は、ＧＰＳ装置１０によって求められた位置情報を時刻装置１２から出力された時刻情報との関連で記憶するように構成されている。
【００３６】
また、引揚漁具情報記憶部２８は、漁具１６を引き揚げた後にタグリーダ１８によって求められた識別情報を時刻装置１２から出力された時刻情報との関連で記憶するように構成されている。
【００３７】
また、漁獲数情報記憶部３０は、漁獲物カウンタ２０によって求められた漁獲数情報を時刻装置１２から出力された時刻情報との関連で記憶するように構成されている。
【００３８】
また、漁具位置情報演算部３２は、位置情報記憶部２６に記憶されている位置情報及び時刻情報と、引揚漁具情報記憶部２８に記憶されている識別情報及び時刻情報から、時刻情報が一致する識別情報と位置情報を選択し、これを同一の漁具１６の識別情報及び位置情報として出力するように構成されている。
【００３９】
また、漁具位置情報記憶部３４は、漁具位置情報演算部３２から出力された同一漁具１６の識別情報及び位置情報を記憶するように構成されている。
【００４０】
また、漁獲数情報演算部３６は、引揚漁具情報記憶部２８の識別情報及び時刻情報と、漁獲数情報記憶部３０の漁獲数情報及び時刻情報から、所定の時間差範囲内で時刻が一致する識別情報と漁獲数情報を選択し、これを同一漁具１６の識別情報及び漁獲数情報として出力するように構成されている。
【００４１】
所定の時間差は、引き揚げられた漁具１６のＩＣタグ１４がタグリーダ１８で読み取られ、その後、漁具１６が漁獲物カウンタ２０まで移動し、漁獲数が漁獲物カウンタ２０によって計数されるまでに要する時間によって生ずるものである。
【００４２】
また、漁獲数情報記憶部３８は、漁獲数情報演算部３６によって求められた同一漁具１６の識別情報及び漁獲数情報を記憶するように構成されている。
【００４３】
また、漁業資源分布情報演算部４０は、漁具位置情報記憶部３４に記憶されている漁具１６の識別情報及び位置情報と、漁獲数情報記憶部３８に記憶されている漁具１６の識別情報及び漁獲数情報とから、識別情報が一致する位置情報及び漁獲数情報を選択し、これを同一漁具１６の位置情報及び漁獲数情報として出力するように構成されている。
【００４４】
また、漁業資源分布情報記憶部４２は、漁業資源分布情報演算部４０によって求められた同一漁具１６の位置情報及び漁獲数情報を記憶するように構成されている。
【００４５】
次に、この漁業資源調査装置の動作について説明する。
【００４６】
まず、ＧＰＳ装置１０で船の位置情報を時刻装置１２から出力されている時刻情報との関連で経時的に求め、この位置情報及び時刻情報を位置情報記憶部２６に記憶させる。
【００４７】
次に、ＩＣタグ１４を設けた複数の漁具１６を海中に投入設置する。
【００４８】
次に、漁具１６を投入して所定時間経過した後、海中に投入設置されていた複数の漁具１６を船上に順次引き揚げる。
【００４９】
次に、複数の漁具１６のＩＣタグ１４をタグリーダ１８で各々読み、得られた識別情報を時刻装置１２から出力されている時刻情報との関連で引揚漁具情報記憶部２８に記憶させる。
【００５０】
次に、漁具位置情報演算部３２において、位置情報記憶部２６に記憶されていた位置情報及び時刻情報と、引揚漁具情報記憶部２８に記憶されていた識別情報及び時刻情報とから、時刻情報が一致する位置情報及び識別情報を選択し、この時刻情報が一致する位置情報及び識別情報をもって海中に設置されていた同一の漁具１６の位置情報及び識別情報として出力し、これを漁具位置情報記憶部３４に記憶させる。
【００５１】
次に、漁具１６が捕らえた漁獲物の数を漁獲物カウンタ２０で計数し、得られた漁獲数情報を時刻装置１２から出力されている時刻情報との関連で漁獲数情報記憶部３０に記憶させる。
【００５２】
次に、漁獲数情報演算部３６において、引揚漁具情報記憶部２８に記憶されていた識別情報及び時刻情報と、漁獲数情報記憶部３０に記憶されていた漁獲数情報及び時刻情報とから、所定の時間差範囲内で時刻が一致する識別情報及び漁獲数情報を選択し、この識別情報及び漁獲数情報をもって同一漁具１６の識別情報及び漁獲数情報として出力し、これを漁獲数情報記憶部３８に記憶させる。
【００５３】
ここで、所定の時間差は、引き揚げられた漁具１６のＩＣタグ１４がタグリーダ１８で読み取られ、その後、漁具１６が漁獲物カウンタ２０まで移動し、漁獲数が計数されるまでに要する時間によって生ずるものである。
【００５４】
次に、漁業資源分布情報演算部４０において、漁具位置情報記憶部３４に記憶されていた位置情報及び識別情報と、漁獲数情報記憶部３８に記憶されていた漁獲数情報及び識別情報とから、識別情報が一致する位置情報及び漁獲数情報を選択し、この位置情報及び漁獲物数をもって同一漁具１６の位置情報及び漁獲物数として出力し、これを漁業資源分布情報記憶部４２に記憶させる。
【００５５】
漁業資源分布情報記憶部４２に記憶されている位置情報及び漁獲数情報は出力装置２４を介して適宜取り出す。
【００５６】
図２は本発明に係る漁業資源調査装置の実施例２の構成を示す説明図である。実施例２の基本的な構成は実施例１と同一であるが、下記の点において実施例１と相違している。
【００５７】
すなわち、タグリーダ１８は投入前の漁具１６の標識も読み取るように構成され、コンピュータ２２は、漁具１６を投入する前にタグリーダ１８によって求められた識別情報を時刻装置１２から出力された時刻情報との関連で記憶する投入漁具情報記憶部４４を備えている。
【００５８】
そして、漁具位置情報演算部３２においては、位置情報記憶部２６に記憶されていた位置情報及び時刻情報と、投入漁具情報記憶部４４に記憶されていた識別情報及び時刻情報とから、時刻情報が一致する識別情報及び位置情報を求め、これを同一漁具１６の識別情報と位置情報として出力するように構成されている。
【００５９】
図３は本発明に係る漁業資源調査装置の実施例３の構成を示す説明図である。実施例３の基本的な構成は実施例１と同一であるが、下記の点において実施例１と相違している。
【００６０】
すなわち、タグリーダ１８は投入前の漁具１６の標識も読み取るように構成され、コンピュータ２２は、投入漁具の識別情報及び時刻情報を記憶する投入漁具情報記憶部４４と、漁具１６の設置時間を求める設置時間情報演算部４６を備えている
【００６１】
そして、投入漁具情報記憶部４４においては、漁具１６を投入する前にタグリーダ１８によって求められた識別情報を時刻装置１２から出力された時刻情報との関連で記憶している。
【００６２】
また、設置時間情報演算部４６においては、投入漁具情報記憶部４４の識別情報及び時刻情報と、引揚漁具情報記憶部２８の識別情報及び時刻情報とから識別情報を共通にする時刻の差から設置時間情報を求め、この設置時間情報を漁業資源分布情報記憶部４２に送って記憶させている。
【００６３】
図４は本発明に係る漁業資源調査装置の実施例４の構成を示す説明図である。実施例４の基本的な構成は実施例２と同一であるが、設置時間情報演算部を備えている点において実施例２と相違している。
【００６４】
そして、設置時間情報演算部４６においては、投入漁具情報記憶部４４に記憶されている識別情報及び時刻情報と、引揚漁具情報記憶部２８に記憶されている識別情報及び時刻情報とから識別情報を共通にする時刻の差から設置時間情報を求め、この設置時間情報を漁業資源分布情報記憶部４２に送って記憶させている。
【００６５】
尚、本発明の漁業資源調査方法とその装置は、上記した実施の形態に限定されるものではなく、本発明の要旨を逸脱しない範囲内において種々変更を加え得ることは勿論である。
【００６６】
また、本発明の漁業資源調査方法とその装置は、上述したものに加え、漁具にデータロガーを付けて海中の環境（水温、溶存酸素、塩分、濁度、深度等）を漁具（漁獲物）との関係で直接的かつ経時的に計測させるようにしてもよい。
【００６７】
この場合は、全部又は一部の漁具（例：あなご筒、タコ壺等）にデータロガーを付けて、漁具を海中に投入し、海中でデータロガーに環境データ（水温、溶存酸素、塩分、濁度、深度等）を経時的に計測させ、得られたデータはデータロガーの記録部に記録させる。
【００６８】
次に、漁具を引き上げ、ＩＣタグリーダを用いて当該漁具に付けたＩＣタグの個別識別情報を読み取り、この個別識別情報と、位置情報記憶部（ＧＰＳ装置から得た位置とその位置に居た時間を記憶しているＰＣの記憶部、図１〜４の位置情報記憶部２６に相当）の全位置情報とから漁具の個別位置情報を求める。また、データ読取器を用いて当該漁具のデータロガーから個別の環境データを読み取る。
【００６９】
そして、これらの個別位置情報と個別環境データから特定位置における経時的な環境情報を求め、多数の位置における環境情報と漁獲数情報を集約し、漁業資源の分布と海中環境との関係を求める。
【００７０】
なお、データロガーは環境データを計測するセンサー部と、時計機能と、センサー部によって得られた環境データを時計機能を利用して経時的に記録する記録部とを備えている。また、漁具に付けたＩＣタグの識別情報と各データロガーは予め関連付けしておく。すなわち、各データロガーはどの識別情報を備えたＩＣタグが付けられた漁具に付けられているかを予め関連付けして、各データロガーを識別させておく。
【００７１】
環境データ中の漁具投入点は、漁具を海中に投入すると、データロガーが計測している温度が海水の温度によって大きく変化するので、温度が大きく変化した部分として認識することができる。また、漁具の投入時刻と投入場所はＧＰＳ装置からの情報によって知ることができる。
【００７２】
本発明では、海中の環境（水温、溶存酸素、塩分、濁度、深度等）を漁具（漁獲物）との関係で直接的かつ経時的に計測させることができるので、海中に生きる魚等とその生活環境との直接的な関係や、漁業資源の分布と海中環境との直接的な関係を知ることができ、従って、漁獲努力量の適正管理に資することができるという効果がある。
【産業上の利用可能性】
【００７３】
本発明の漁業資源調査方法とその装置は、海底で生活している漁業資源の位置と数を漁業者に負担をかけることなく簡単且つ自動的に調査することができるものである。
【図面の簡単な説明】
【００７４】
【図１】本発明に係る漁業資源調査装置の実施例１の構成を示す説明図である。
【図２】本発明に係る漁業資源調査装置の実施例２の構成を示す説明図である。
【図３】本発明に係る漁業資源調査装置の実施例３の構成を示す説明図である。
【図４】本発明に係る漁業資源調査装置の実施例４の構成を示す説明図である。
【符号の説明】
【００７５】
１０  装置
１２  時刻装置
１４  タグ
１６  漁具
１８  タグリーダ
２０  漁獲物カウンタ
２２  コンピュータ
２４  出力装置
２６  位置情報記憶部
２８  引揚漁具情報記憶部
３０  漁獲数情報記憶部
３２  漁具位置情報演算部
３４  漁具位置情報記憶部
３６  漁獲数情報演算部
３８  漁獲数情報記憶部
４０  漁業資源分布情報演算部
４２  漁業資源分布情報記憶部
４４  投入漁具情報記憶部
４６  設置時間情報演算部
【図１】
2005278632.tif 000003
【図２】
2005278632.tif 000004
【図３】
2005278632.tif 000005
【図４】
2005278632.tif 000006